(57)【要約】【課題】折り箱における底板上面に配置した方形台板の四隅付近の浮上を簡単確実かつ、安価に阻止すること。【解決手段】底板１・複数の側板２・複数の斜辺付き差込み片３・正面板４・上板５・後面板６・複数の補強片７をそれぞれ折り線Ｌを経て方形に連設した折り箱の展開構成要素を前記折り線Ｌから直角に折り曲げて折り箱を構成し、前記各差込み片３の両側に係止鉤片８を有する斜辺３Ａを形成する一方、前記各補強片７の一辺に係止孔９とほぼ台形の折返し片１０を隣設し、差込み片斜辺３Ａで前記折返し片１０を補強片７と共に折り線Ｌから斜めに押し込み、前記各係止鉤片８を係止孔９の縁辺に補強片折り線部分の復元弾力に抗し弾接係合させることで、各差込み片３の抜け止めを施こすと共に四枚の補強片７を斜めに定位し、その下縁で前記底板の１上面に配置した台板１１の浮上を阻止した。【選択図】      図１
2005059858.tif 000002
【特許請求の範囲】
【請求項１】
方形底板の対向二辺に折り線を経て連設した方形側板の外側にそれぞれ折り線を経て差込み片を形成し、前記底板の他の一辺には方形正面板・方形上板・方形後面板をそれぞれ折り線を経て順次に連設し、前記正面板と後面板との各対向辺にそれぞれ折り線を経て二枚ずつ計四枚の補強片を連設して折り箱の展開構成要素となし、これら各要素を前記折り線からすべて同方向に直角に折り曲げ、前記後面板の縁辺を底板に接着した折り箱において、前記各差込み片の両側に係止鉤片を有する斜辺を形成する一方、前記四枚の各補強片に係止孔と折返し片とを隣設し、前記差込み片の斜辺で折返し片を各補強片と共に斜めに押し込み、前記各係止鉤片を補強片係止孔の縁辺に補強片折り線部分の復元弾力に抗し弾接係合させることで、各差込み片の抜け止めを施こすと共に各補強片を斜めに定位し、これら四枚の補強片の下縁でそれぞれ前記底板の上面に予め配置した台板の浮上を阻止してなる組立式折り箱。
【請求項２】
方形底板１の対向二辺に折り線Ｌを経て連設した二枚の方形側板２の外側にそれぞれ折り線Ｌを経て差込み片３を形成し、前記底板１の他の一辺には方形正面板４・方形上板５・方形後面板６をそれぞれ折り線Ｌを経て順次に連設すると共に、前記正面板５と後面板６との各対向辺にそれぞれ折り線Ｌを経て二枚ずつ計四枚の補強片７を連設して折り箱の展開構成要素となし、これら各要素を前記折り線Ｌから同方向に直角に折り曲げ、前記後面板６の縁辺を底板１に接着した折り箱において、前記各差込み片３の両側に係止鉤片８を有する斜辺３Ａを形成する一方、前記四枚の各補強片７に係止孔９と折返し片１０とを隣設し、各差込み片３の斜辺３Ａで前記折返し片１０を各補強片７と共に折り線Ｌから斜めに押し込み、前記各係止鉤片８を補強片係止孔９の縁辺に補強片折り線部分の復元弾力に抗し係合させることで、各差込み片３の抜け止めを施こすと共に各補強片７を斜めに定位し、これら斜めの各補強片７の下縁でそれぞれ前記底板１の上面に予め配置した台板１１の浮上を阻止してなる組立式折り箱。
【請求項３】
方形底板１の対向二辺に折り線Ｌを経て連設した二枚の方形側板２の外側にそれぞれ折り線Ｌを経て差込み片３を形成し、前記底板１の他の一辺には方形正面板４・方形上板５・方形後面板６をそれぞれ折り線Ｌを経て順次に連設すると共に、前記正面板５と後面板６との各対向辺にそれぞれ折り線Ｌを経て二枚ずつ計四枚の補強片７を連設して折り箱の展開構成要素となし、前記正面板４・上板５・後面板６・前記四枚の補強片７を前記各折り線Ｌからすべて同方向に直角に折り曲げ、後面板６の縁辺を底板１に接着し、前記各側板２をそれぞれ折り線Ｌから起立させ、その差込み片３をそれぞれ折り線Ｌから内側に折り曲げた後、これら各差込み片３をそれぞれ前記上板５の内面と前記各補強片７との間に差し込んで保形した折り箱において、前記各差込み片３の両側に係止鉤片８を有する斜辺３Ａを形成する一方、前記四枚の各補強片７の一辺にそれぞれ前記係止鉤片８を挿通する係止孔９と、その一辺に連接した折返し片１０とをそれぞれ形成し、前記各側板２を折り線Ｌからほぼ直角に起立した状態で前記各係止鉤片８をそれぞれ前記四枚の各補強片７の各係止孔９に挿通しつつ差込み片３の斜辺３Ａで前記折返し片１０の折返し部分１０Ａを四枚の補強片７と共に折り線Ｌから斜めに押し込み、前記各係止鉤片８を補強片係止孔９の縁辺に補強片７折り線部分の復元弾力に抗し弾接係合させることで、各差込み片３の抜け止めを施こすと共に四枚の補強片７をそれぞれ前記方形底板１の四隅付近に斜めに定位し、これら斜めの各補強片７の下縁でそれぞれ前記底板１の上面に予め配置した方形台板１１の浮上を阻止してなる組立式折り箱。
【請求項４】
前記組立式折り箱の展開構成要素を緻密薄手の段ボール紙で構成してなる請求項１から請求項３までに記載の組立式折り箱。
【請求項５】
前記上板５や側板２に窓孔Ａを透設し、この窓孔を透明フィルムＦで覆った請求項１から請求項４までに記載の組立式折り箱。
【発明の詳細な説明】
【０００１】
【発明の属する技術分野】
本発明は、組立式折り箱に係り、特に紙製折り箱における底板上面に配置した台板の浮上を阻止することで、この台板に仮固定した柔らかい食品類などの搬送途中における型崩れを防止できる組立式折り箱に関する。
【０００２】
【従来の技術】
従来一般的な組立式折り箱としては、実開昭６１−２００３１７号公報等に記載の折り箱のように、方形底板の対向二辺に折り線を経て連設した二枚の方形側板の外側にそれぞれ折り線を経て差込み片を形成し、前記底板の他の一辺に方形正面板・方形上板・方形後面板をそれぞれ折り線を経て順次に連設すると共に、前記正面板と後面板の各対向辺にそれぞれ折り線を経て二枚ずつ計四枚の補強片を連設して組立式折り箱の展開構成要素となし、前記正面板・上板・後面板・補強片をそれぞれ前記各折り線から直角に折り曲げて後面板縁辺を底板縁辺に固着し、前記各側板をそれぞれ折り線から起立させ、その差込み片をそれぞれ前記上板内面と補強片との間に差し込んで保形した組立式折り箱が周知である。
【０００３】
【発明が解決しようとする課題】
ところが、この従来例では、その展開構成要素を単に各折り線からすべて直角に折り曲げて組立てた折り箱だから、底板上面に配置した方形台板の浮上を阻止するための構成要素が全く存在せず、デコレーションケーキなどの柔らかい食品類を仮固定して折り箱内に収納した台板の浮上を阻止できないので、柔らかい食品類の持ち帰り途中などにおける折り箱の揺動により、その中の柔らかい食品類が台板と共にランダムに浮上し、折り箱の上板内面に衝突するため、肝心の柔らかい食品類上部が大きく型崩れし、見栄えが極端に悪くなってしまい、使い物にならなくなるという本質的かつ、大きな問題点が有る。
【０００４】
この発明は、上記従来例の問題点を除去するために、折り箱の底板上面に配置した方形台板の浮上を簡単確実かつ、安価に阻止することを目的とする。
【０００５】
【課題を解決するための手段】
上記した本発明の目的は、方形底板の対向二辺に折り線を経て連設した二枚の方形側板の外側にそれぞれ折り線を経て差込み片を形成し、前記底板の他の一辺には方形正面板・方形上板・方形後面板をそれぞれ折り線を経て順次に連設すると共に、前記正面板と後面板との各対向辺にそれぞれ折り線を経て二枚ずつ計四枚の補強片を連設して折り箱の構成要素となし、これら各要素を前記折り線から同方向に直角に折り曲げ、前記後面板の縁辺を底板に接着した折り箱を作るに当たり、前記各差込み片の両側に係止鉤片を有する斜辺を形成し、前記四枚の各補強片に係止孔と折返し片とを隣設し、前記差込み片の斜辺で前記折返し片を各補強片と共に折り線から斜めに押し込み、各係止鉤片を係止孔の縁辺に補強片折り線部分の復元弾力に抗し弾接係合させることで、各差込み片の抜け止めを施こすと共に四枚の各補強片を斜めに定位し、これら斜めの各補強片の下縁でそれぞれ前記底板の上面に予め配置した台板の浮上を阻止したことで達成できた。
【０００６】
【発明の実施の形態】
本発明の実施の形態のうち、先ず、本発明の基本的な形態例を説明する。
先ず、本発明折り箱の展開構成要素の形態例としては、図２のように、方形底板１の対向二辺に折り線Ｌを経て方形側板２を連設し、これら二枚の各方形側板２の外側にそれぞれ折り線Ｌを経て台形の差込み片３を形成し、前記底板１の他の一辺には方形正面板４・方形上板５・方形後面板６をそれぞれ折り線Ｌを経て順次に連設すると共に、底板１のさらに他の一辺に折り線Ｌを経て接着代１Ａを連設し、かつ前記正面板５と後面板６との各対向辺にそれぞれ折り線Ｌを経て二枚ずつ計四枚の補強片７を連設して組立式折り箱の展開構成要素を構成する。
ただし、上記構成要素に用いる素材は、厚手西洋紙または、通常「Ｆフルート」とか「Ｆ段」と称する緻密薄手の段ボール紙や適度の剛性を有するプラスチックシートを構成素材とし、また前記各折り線Ｌは、上記各素材に対応して周知の冷間プレス折り目付け加工手段や熱間プレス折り目付け加工などで形成する。
【０００７】
その後、前記正面板４・上板５・後面板６・補強片７をそれぞれ前記各折り線Ｌからすべて内側同方向に図３のように直角に折り曲げ、後面板６の縁辺を底板１の接着代１Ａに接着し、前記各側板２を同図のようにそれぞれ折り線Ｌから起立させ、その差込み片３をそれぞれ折り線Ｌから内側に折り曲げた後、これら各差込み片３を前記上板５の内面と二枚ずつ計四枚の補強片７との間に図１のように差し込んで折り箱を作るのであるが、本発明では、前記各差込み片３の両側に図２のように、係止鉤片８を有する斜辺３Ａを形成する一方、前記二枚ずつ計四枚の各補強片７の一辺に前記係止鉤片８を挿通する係止孔９と、その一辺に折り線Ｌを経て連接した折返し片１０とを同図２のようにそれぞれ形成しておく。
【０００８】
次いで、前記各側板２を折り線Ｌから図４のようにほぼ直角に起立させた状態で前記各係止鉤片８をそれぞれ前記計四枚の補強片７の係止孔９に同図のように挿通しつつ、前記差込み片３の斜辺３Ａで前記折返し片１０の折返し部分１０Ａを各補強片７と共に折り線Ｌから図４の状態を経て図１のように内向き斜めに押し込み、前記各係止鉤片８を補強片７の係止孔９に通しその縁辺に補強片折り線部分の復元弾力に抗して同図のようにパチンと一発係合させることで、各側板差込み片３の抜け止めを施せると共に四枚の補強片７を図１および図５のように斜めに定位でき、これら斜めの各補強片７の下縁でそれぞれ前記底板１の上面に予め配置した厚手紙などで作った剛性を有する方形台板１１の四隅付近の浮上を阻止できる図１・図５のような本発明による組立式折り箱を構成できた。
ただし、図５における各板片の断面部分の肉厚は、判り易くするために誇張し分厚く表現してある。
【０００９】
以上のように、本発明による組立式折り箱は、底板１の上面に配置した方形台板１１の浮上を阻止するための構成要素として、前記二枚ずつ計四枚の補強片７を前記底板１の上面に予め配置した方形台板１１の四隅付近の上面に斜めに突出定位したので、これら斜めの各補強片７の下縁により上記台板１１の四隅付近の浮上を図１および図５のように阻止でき、この台板１１上に周知の差し込み固定突片などで仮固定したデコレーションケーキなどの柔らかい食品類ａの浮上も台板１１と共に図５のように阻止できたので、柔らかい食品類の持ち帰り途中などに折り箱が例え揺動したとしても、その中の肝心な柔らかい食品類ａの上部が折り箱の上板内面にぶつからず、その型崩れを未然に防止でき、常に見栄えの良い状態で購入先からパーティ会場や家庭内に搬入できる。
【００１０】
その後、折り箱内の前記柔らかい食品類ａを食するには、前記各補強片７Ａと上板５の上部内面との間から側板差込み片３を図４のように引き出しつつ、係止鉤片８を前記各補強片係止孔９の縁辺からその弾接係合弾力に抗し同図のように脱出させることで、一枚または二枚の側板２を開けることができると共に、各補強片７をその折り線部分の復元弾力で図３のように開けることができ、折り箱内の前記柔らかい食品類ａをそのままの姿形で台板１１と共に折り箱外部に引き出し、食することができる。
【００１１】
【実施例】
前記上板５や側板２に前記各図のように窓孔Ａを透設して折り箱を作り、これらの窓孔を図５のように透明フィルムＦでシュリンク包装手段などにより覆えば、不透明な折り箱内の柔らかい食品類ａの姿形を同図のような上記窓孔Ａから何時でも透明フィルムＦを透して観察できる。
【００１２】
【発明の効果】
本発明は、以上のような形態を採用したので、以下に記載の効果を奏する。
この発明における請求項１から請求項３までの各発明によれば、折り箱における前記側板２の各差込み片斜辺３Ａで前記折返し片１０を各補強片７と共に折り線Ｌから斜めに押し込み、各係止鉤片８を補強片係止孔９の縁辺に補強片折り線部分の復元弾力に抗し弾接係合させることで、各差込み片３の抜け止めを確実容易に施せると共に二枚ずつ計四枚の各補強片７を容易かつ、確実に斜めに定位でき、これら斜めの各補強片７の下縁でそれぞれ前記底板１の上面に予め配置した台板１１の浮上を安定に阻止できたので、この台板１１上に仮固定したデコレーションケーキなどの柔らかい食品類の浮上を台板１１と共に阻止でき、柔らかい食品類の持ち帰り途中などに折り箱が例え揺動したとしても、その中の柔らかい食品類ａの上部が折り箱上板内面にぶつからず、その型崩れを簡単確実かつ、安価に防止でき、肝心な柔らかい食品類ａをその購入先からパーティ会場や家庭内に常に見栄えの良い状態で搬入できたという優れた効果が有る。
【００１３】
また、前記各発明によれば、折り箱内の前記柔らかい食品類ａを食するに当たり、前記側板差込み片３を各補強片７Ａと上板５の上部内面との間から引き出しつつ、係止鉤片８を前記斜めの各補強片７の係止孔９の縁辺からその弾接係合弾力に抗し脱出させることで、一枚または二枚の側板２を開けることができると共に、各補強片７をその折り線部分の復元弾力で図３のように開けることができ、折り箱内の前記柔らかい食品類ａを型崩れさせないでそのままの姿形で台板１１と共に折り箱外部に引き出し、食することができるという優れた効果も有る。
【００１４】
この発明における請求項４の発明では、前記諸効果に加えて、前記組立式折り箱の展開構成要素を緻密薄手の段ボール紙で構成したので、折り箱全体としての保形強度を強化できると共に、前記多数の折り線Ｌを簡易な冷間プレス加工でも容易に形成でき、また、この発明における請求項５の発明のように、前記上板５や側板２に窓孔Ａを透設し、これらの窓孔を透明フィルムＦでシュリンク包装手段などにより覆えば、不透明な折り箱内のデコレーションケーキなどの柔らかい食品類の姿形を上記透明フィルムＦを経て、何時でも折り箱外から観察でき、上記食品類の型崩れを一層確実に防止できるという効果を付加できた。
【図面の簡単な説明】
【図１】本発明による折り箱の一例を示す要部切欠斜視図
【図２】本発明による折り箱の展開構成要素の一例を示す展開図
【図３】本発明による折り箱の組立途中の一例を示す斜視図
【図４】図１に示すものの組立途中の要部を示す部分的拡大斜視図
【図５】図１に示すものの縦断側面図
【符号の説明】
１    底板
１Ａ  接着代
２    側板
３    差込み片
３Ａ  斜辺
４    正面板
５    上板
６    後面板
７    補強片
８    係止鉤片
９    係止孔
１０  折返し片
１０Ａ  折返し部分
Ｌ    折り線
Ａ    窓孔
Ｆ    透明フィルム
ａ    柔らかい食品類
【図１】
2005059858.tif 000003
【図２】
2005059858.tif 000004
【図３】
2005059858.tif 000005
【図４】
2005059858.tif 000006
【図５】
2005059858.tif 000007